(57)【要約】【課題】極めて小型、シンプル、低コストであり、且つ取付け手数が少なくて済む構造でありながら、鳥類の飛来、営巣を効果的に阻止することができる。【解決手段】送電用構築物に対して固定される軸部材１２と、軸部材の軸方向の異なった位置に設けた軸支部１４により夫々回転自在に軸支された複数のディスク状の回転部材２０と、を備え、複数の回転部材には、少なくとも直径の異なる回転部材を含み、各回転部材には、風力を受けて該各回転部材を回転させるための風受け部材２５が設けられている。【選択図】図２
2014193034.tif 000002
【特許請求の範囲】
【請求項１】
送電用構築物に対して固定される軸部材と、該軸部材の軸方向の異なった位置に設けた軸支部により夫々回転自在に軸支された複数のディスク状の回転部材と、を備えた防巣対策具であって、
前記複数の回転部材には、少なくとも直径の異なる回転部材を含み、
各回転部材には、風力を受けて該各回転部材を回転させるための風受け部材が設けられていることを特徴とする防巣対策具。
【請求項２】
前記軸部材の一端寄りの前記回転部材の直径に対して、隣接する他の回転部材の直径が、順次大きく、或いは小さくなるように配列されることを特徴とする請求項１に記載の防巣対策具。
【請求項３】
前記回転部材は上面が円弧状、或いは傾斜面状の滑落面となっていることを特徴とする請求項１又は２に記載の防巣対策具。
【請求項４】
前記回転部材の上面には尖端部材が突設されていることを特徴とする請求項１乃至３の何れか一項に記載の防巣対策具。
【請求項５】
前記風受け部材は、前記回転部材の下面、又は／及び、上面に設けた羽根状部材、或いはカップ状部材であることを特徴とする請求項１乃至４の何れか一項に記載の防巣対策具。
【発明の詳細な説明】
【技術分野】
【０００１】
本発明は、送電用構築物上に鳥類が飛来して留まったり、営巣することにより、電線、その他の導体間を短絡させて発生する地絡事故や、糞や鳴き声による住民への被害を有効に防止する防巣対策具に関するものである。
【背景技術】
【０００２】
電柱や鉄塔等の送電用構築物に設けられて送電線を支持する腕金や、腕金に付属する接近遮断棒等は、鳩、カラス、鷺等の中・大型鳥類によって格好の飛来場所、営巣場所として利用され易いが、腕金等に対して針金、木の枝、草、葉等を集積した巣が形成されると、これらが腕金周辺の導体間を短絡させる配電線事故が発生することが多々ある。
また、カラス等の糞、鳴き声が住民に迷惑や被害を及ぼすことも多い。
【０００３】
ところで、従来から鳥類の営巣や飛来を防止するために種々の提案がなされている。
例えば、特許文献１、 ２には、太い棒状の幹体から多数の細い枝体を多様な方向に突出させた鳥害防止具が開示されており、この防止具を電柱の腕金やその近傍に取り付けることによって営巣や飛来の防止を図っている。これらは、腕金周辺の営巣空間、飛来空間をなくすることによって営巣、飛来を防止することを目的としている。
また、特許文献３には、鉄塔材料に巻き付けたバンドから多数の細線を放射状に突出させることによって営巣の障害とした営巣防止装置が開示されている。
また、特許文献４（特開２０１１−２４５５７８号公報）、特許文献５（特開２０１１−１５１９４１号公報）、特許文献６（特開２０１２−１９７５５公報）にも、風によって回転する風車等の回転体を鉄塔上に配置することにより、腕金等への直接的な営巣を阻止する構成が開示されている。
【０００４】
しかし、これらの防止具は構造が複雑、大型化し、取付け手数の増大、コスト増を招く傾向がある。また、鳥類が防止具上に運んできた枝等の営巣材料を落下させて除去する機能を十分に発揮し得ておらず、逆に防止具上に営巣されることがあった。
【先行技術文献】
【特許文献】
【０００５】
【特許文献１】特開２００５−１１０５７１公報
【特許文献２】特開２００４−３１３００５公報
【特許文献３】特開２００７−１５９５３７公報
【特許文献４】特開２０１１−２４５５７８公報
【特許文献５】特開２０１１−１５１９４１公報
【特許文献６】特開２０１２−１９７５５公報
【発明の概要】
【発明が解決しようとする課題】
【０００６】
従来の鳥害防止具は、構造が複雑、大型化し、取付け手数の増大、コスト増を招く傾向があった。また、鳥類が防止具上に運んできた営巣材料を効率的に落下、除去させる機能を十分に発揮できていない、という問題があった。
本発明は上記に鑑みてなされたものであり、極めて小型、シンプル、低コストであり、且つ取付け手数が少なくて済む構造でありながら、鳥類の飛来、営巣を効果的に阻止することができる防巣対策具を提供することを目的としている。
【課題を解決するための手段】
【０００７】
上記目的を達成するため、請求項１に係る防巣対策具は、送電用構築物に対して固定される軸部材と、該軸部材の軸方向の異なった位置に設けた軸支部により夫々回転自在に軸支された複数のディスク状の回転部材と、を備えた防巣対策具であって、前記複数の回転部材には、少なくとも直径の異なる回転部材を含み、各回転部材には、風力を受けて該各回転部材を回転させるための風受け部材が設けられていることを特徴とする。
請求項２の発明は、前記軸部材の一端寄りの前記回転部材の直径に対して、隣接する他の回転部材の直径が、順次大きく、或いは小さくなるように配列されることを特徴とする。
請求項３の発明は、前記回転部材は上面が円弧状、或いは傾斜面状の滑落面となっていることを特徴とする。
請求項４の発明は、前記回転部材の上面には尖端部材が突設されていることを特徴とする。
請求項５の発明は、前記風受け部材は、前記回転部材の下面、又は／及び、上面に設けた羽根状部材、或いはカップ状部材であることを特徴とする。
【図面の簡単な説明】
【０００８】
【図１】（ａ）は本発明の防巣対策具を送電鉄塔の腕金に取り付けた状態を示す説明図であり、（ｂ）は本発明の防巣対策具を接近遮断棒に取り付けた状態を示す説明図である。
【図２】（ａ）は本発明の一実施形態に係る防巣対策具の正面図であり、（ｂ）は平面図である。
【図３】回転部材の変形例の構成説明図である。
【図４】回転部材の軸支部の構成を示す一部断面図である。
【図５】風受け部材の他の構成例を示す一部断面図である。
【図６】固定具の構成例を示した説明図である。
【図７】（ａ）及び（ｂ）は防巣対策具の配置例を示した説明図である。
【図８】（ａ）は本発明の防巣対策具の変形実施形態の構成を示す全体正面図であり、（ｂ）及び（ｃ）はディスク部材の平面図、及び正面拡大図である。
【図９】本発明の防巣対策具の変形実施形態の構成説明図である。
【発明を実施するための形態】
【０００９】
以下、本発明を図面に示した実施の形態により詳細に説明する。
図１（ａ）は本発明の防巣対策具を送電鉄塔の腕金に取り付けた状態を示す説明図であり、（ｂ）は本発明の防巣対策具を接近遮断棒に取り付けた状態を示す説明図である。
各種送電用構築物、特に送電鉄塔は多数の鋼材を組み付けた構成を有する背高の構造物であるため、鳥類が飛来して留まったり、営巣する場所として好適である。
アングル材、鋼管から構成された送電鉄塔１は、鳩、カラス、鷺等の中、大型鳥類が留まるのに適しており、特に腕金２や、腕金に取付けられる接近遮断棒３等はその形状が鳥類が留まるのに適しているため、鳥類による被害（飛来、営巣）が起きやすい。
本発明に係る防止巣対策具（鳥害防止装置）１０は、鳥類が好んで留まったり、営巣しようとする鉄塔や電柱の腕金や、接近遮断棒等の被営巣部材５に取り付けられて、ディスク状の回転部材を風力等の外力により回転させたり、飛来してきた鳥類が留まろうとして体重を掛けたときに回転させることにより、バランスを失わせて留まり続けることを不可能にするものである。それと同時に、ディスク状の回転部材に営巣材料を載せたり、絡めようとしても、回転することにより確実に落下、除去することができる。
【００１０】
図２（ａ）は本発明の一実施形態に係る防巣対策具１０の正面図であり、（ｂ）は平面図である。
本発明に係る防巣対策具１０は、送電用構築物の一部、例えば腕金２、接近遮断棒３等の被営巣部材５に任意の固定具４０によって固定される軸部材１２と、軸部材１２の軸方向の異なった位置に設けた軸支部１４により夫々回転自在に軸支された複数のディスク状の回転部材（ディスク部材）２０と、を備えている。
また、複数のディスク部材２０には、少なくとも直径の異なるディスク部材を含み、各ディスク部材には、風力を受けて各ディスクを回転させるための風受け部材２５が設けられている。
防巣対策具１０を構成する軸部材１２、軸支部１４、 ディスク部材２０、風受け部材２５は、ＦＲＰ、その他の絶縁樹脂材料から構成する。軸部材１２の軸長は、設置場所にもよるが、例えば３０〜１００ｃｍ程度とし、最大径のディスク部材２０の直径は２０〜３０ｃｍ程度とする。
【００１１】
ディスク部材２０は、軽量化するために強度が許す限り薄肉化する。
また、複数の防巣対策具１０を一つの固定具４０により支持することにより、被営巣部材５の局所に集中して防巣対策具を配置するようにしてもよい。
ディスク部材２０はその上面２１を中心部から外周縁に向かうに連れて急に傾斜、或いは湾曲して傾斜する傾斜面とすることにより、鳥類が留まったり、営巣材料を固定することができないように構成されている。また、ディスク部材上面２１の摩擦抵抗が低下するように使用材料を選定することにより、滑らせる効果を高めることができる。
【００１２】
或いは、図３に示すように、上記実施形態とは逆にディスク部材上面２１に針状の細長い突起である尖端部材２２を多数設けて鳥類が留まろうとするとその脚や身体に痛みを感じるようにしてもよい。尖端部材２２があることにより営巣材料を固定しやすくなるが、営巣するためにはディスク部材上の尖端部材２２に脚を接触させる必要があるため、最終的に営巣を断念させることができる。尖端部材２２は載置された営巣材料から上方に突出するように十分な長さとすることにより、営巣材料上に留まることが困難となる。
この尖端部材は、以下の全ての実施形態にも適用することができる。
また、ディスク部材２０は、鳥が振れた程度の外力によって軸支部１４を中心として容易に回転するため、鳥類が安定して留まったり、営巣材料を固定することが極めて難しい状態となる。
【００１３】
図示した例では、最下部のディスク部材を最大径とし、最上部のディスク部材を最小径として、下から上に向かうほどディスク部材の径が漸減するようにしているが、これは一例に過ぎない。これとは逆に下から上に向かうほどディスク部材の径が漸増するようにしてもよい。後者の構成の方が、鳥の営巣等をより困難化することも有り得る。即ち、後者の構成であると、最上部のディスク部材によって、下段にある小径のディスク部材が隠蔽されるため、下段のディスク部材と接触することが困難になるからである。最上部のディスク部材も回転するため、これに留まったり営巣することはできない。
また、上記以外にも径の異なるディスクの配列順序は任意に選定可能である。
本発明のように、ディスク部材を多段状に構成することにより、鳥類が下段のディスク部材上に留まったり、営巣しようとしても、直上のディスク部材が障害となって目的を達成することができない。
【００１４】
軸支部１４は、図４に示すようにボールベアリング等の軸受部材（金属製でも可）１５と、ディスク部材の位置決め片１６等から構成する。この構成により、ディスク部材を軸部材１２の所定位置において正逆回転自在に支持することができる。
更に、風受け部材２５をディスク部材の下面、或いは外周縁に突設させて、僅かな風によってディスク部材が回転するようにしているので、鳥類がディスク部材に留まろうとしたり、或いは営巣しようとする意欲を減殺することができる。
風受け部材２５は、板状の羽根状部材としてもよいし、風を受ける凹所を有したカップ状部材としてもよい。カップ状部材とした場合には、図５に示すように周方向両側に風受け用の凹所２５ａを配置することにより、風向きに関係なく回転させることが可能となる。
風受け部材２５はディスク部材の下面などに所定の周方向ピッチで配置して均等に風を受け得るようにする。
或いは、ディスク部材の外周縁自体に凸状の凸片を設けることにより、風受け部材としても良い。
【００１５】
図２（ａ）、及び図６は固定具の構成例を示した説明図であり、固定具４０としては、腕金等に装着して螺子止め固定される金属材料、或いは樹枝材料からなる手段が好ましい。固定具４０は、腕金２、接近遮断棒３等の被営巣部材５に固定される固定具本体４１と、固定具本体４１に取り付けられて軸部材１２を保持する保持部５０と、を備える。固定具本体４１は、外面に保持部５０を固定した第１片４２と、第１片４２に対してヒンジ４３により開閉自在に軸支された第２片４４と、第１片と第２片の端部に夫々設けた螺子止め部４５と、を備える。ヒンジ４３を中心として第１片４２と第２片４４を開放した状態で被営巣部材５の外面に装着してから螺子止め部４５に設けた螺子穴にビス４６ａを挿通してナット４６ｂで締結する。
【００１６】
保持部５０は固定具本体と同様に２つの保持片５１、 ５２をヒンジ５３により開閉自在に構成し、図示しない螺子止め部により固定してもよいし、２つの保持片５１、 ５２を図示しないバネにより閉止方向へ付勢しておき、２つの保持片間に軸部材１２を圧入するようにしてもよい。このように保持部５０に対して軸部材１２を着脱自在に構成しておくことにより、軸部材の上方への突出長等を任意に調整可能となる。
或いは、予め保持部５０に軸部材を固定した状態にしておいてもよい。
また、一つの固定具に複数の軸部材１２を固定し得るように構成し、腕金等の局所に複数の防巣対策具１０を集中して配置してもよい。
【００１７】
以上のような構成を備えた防巣対策具１０を鉄塔の腕金に固定する場合には、例えば図１（ａ）に示したように腕金２のうちでも最も営巣を阻止したい箇所、例えば腕金先端の絶縁碍子の近傍に配置する。防巣対策具の配置個数、配置場所は、配置箇所の条件に応じて任意に選定する。
防巣対策具１０を接近遮断棒３に取り付ける場合には図１（ｂ）に示したように固定具４０を接近遮断棒の左右両側部分に固定する。防巣対策具が固定されていない接近遮断棒の他の部位に他の防巣対策具を近接して配置してもよいことは勿論である。この際、図７（ａ）に示すように隣接し合う防巣対策具のディスク部材が交互の位置関係となるように入れ子式に配置してもよい。
また、図７（ｂ）に示すように一方の防巣対策具１０は最下部のディスク部材２０の直径を最大とし、他方の防巣対策具１０は最上部のディスク部材の直径を最大としてもよい。
【００１８】
次に、図８（ａ）は本発明の防巣対策具の変形実施形態の構成を示す全体正面図であり、（ｂ）及び（ｃ）はディスク部材の平面図、及び正面拡大図である。前記実施形態と同一部分には同一の符号を付し、重複した説明は省略する。
このディスク部材２０は、上下幅が中心部から外周縁に向かうに従ってテーパー状に漸減するように構成されており、上面には鳥類が留まったり、営巣することが困難な構造となっている。
【００１９】
また、ディスク部材の下面には、図示のような稜線状（突条）の風受け部（風受け部材）３０を設けて、風力によりディスク部材を回転し易くしている。
なお、上記実施形態と同様の羽根状、又はカップ状の風受け部材２５を設けても良い。また、針状の尖端部材をディスク部材の上面に設けても良い。
なお、上記実施形態ではディスク状の回転部材の中心部を回転中心としたが、回転部材の偏心した位置に回転中心を配置して偏心回転させるようにしてもよい。
図９はディスク状の回転部材偏心回転させる構成例を示しており、ディスク部材２０自体を左右非対称な形状とし、その頂部に回転中心を位置させている。ディスク部材が偏心回転することにより、鳥類が留まったり、営巣することがより困難となる。
【００２０】
このように本発明の防巣対策具では、極めて小型、シンプル、低コストであり、且つ取付け手数が少なくて済む構造でありながら、鳥類の飛来、営巣を効果的に阻止することができる。
ディスク状の回転部材を並行、且つ多段状に設けることにより、一つの回転部材に鳥類が留まろうとしたり、営巣材料を載せようとしても、上側に位置する他の回転部材が障害となってそのような行為が不可能となる。しかも、各回転部材が回転するため、鳥類に恐怖感を与え、接近や、留まりや営巣を阻止することができる。
ディスク状の回転部材は、上面が滑りやすいだけでなく、風力や、鳥類からの外力が加わった時に回転するため、鳥類はバランスをとって留まり続けることができず、驚いて逃げる。恐怖感を持たせることにより、二度と留まろうとしない。
また、回転部材を単に回転させるだけでなく、その上面に針状の尖端部材を設けて鳥類に肉体的刺激を与えることにより更に強い恐怖感を与えることができる。
【符号の説明】
【００２１】
１…送電鉄塔、２…腕金、３…接近遮断棒、５…被営巣部材、１０…防巣対策具、１２…軸部材、１４…軸支部、２０…ディスク部材、２１…ディスク部材上面、２２…尖端部材、２５…風受け部材、２５ａ…凹所、４０…固定具、４１…固定具本体、４２…第１片、４３…ヒンジ、４４…第２片、４５…螺子止め部、４６ａ…ビス、４６ｂ…ナット、５０…保持部、５１、 ５２…保持片、５３…ヒンジ
【図１】
2014193034.tif 000003
【図２】
2014193034.tif 000004
【図３】
2014193034.tif 000005
【図４】
2014193034.tif 000006
【図５】
2014193034.tif 000007
【図６】
2014193034.tif 000008
【図７】
2014193034.tif 000009
【図８】
2014193034.tif 000010
【図９】
2014193034.tif 000011